(57)【要約】      （修正有）【課題】同軸ケーブルに接続して用いるケーブルテスターのコード用のコネクタにおいて、点検作業時の作業効率を向上させることのできるケーブルテスターのコード用のコネクタを提供すること。【解決手段】ケーブルの一端に接続してケーブルの導通確認を行うケーブルテスターのコード用のコネクタ１０において、コネクタ１０は、ケーブルと嵌合可能であるとともに、ケーブルの中心導体３６に接続される芯部１６と、芯部１６を絶縁された状態で囲う外殻部１４とを有し、コネクタ１０及び外殻部１４は、円筒状に形成され、コネクタ１０の内径は、ケーブルのケーブル側コネクタ３０の内殻部３５の外径より僅かに大きく形成され、芯部１６は、コネクタ１０がケーブル側コネクタ３０に差し込まれてコネクタ１０の先端部がケーブル側コネクタ３０の内周面の段部３９に当接した際に、ケーブルの中心導体３６に当接される長さに形成されている。【選択図】図９
0003214259.tif 000002
【実用新案登録請求の範囲】
【請求項１】
ケーブルの一端に接続して前記ケーブルの導通確認を行うケーブルテスターのコード用のコネクタであって、
前記コネクタは、前記ケーブルと嵌合可能であるとともに、前記ケーブルのケーブル側コネクタの中心導体に接続される芯部と、前記芯部を絶縁された状態で囲う外殻部とを有するケーブルテスターのコード用のコネクタ。
【請求項２】
前記コネクタ及び前記外殻部は、円筒状に形成された請求項１に記載のケーブルテスターのコード用のコネクタ。
【請求項３】
前記コネクタの外径は、前記ケーブルの円筒状のケーブル側コネクタの内径と同じか、僅かに小さい請求項１または請求項２に記載のケーブルテスターのコード用のコネクタ。
【請求項４】
前記コネクタの内径は、前記ケーブルの円筒状のケーブル側コネクタの内殻部の外径と同じか、僅かに大きい請求項１または請求項２に記載のケーブルテスターのコード用のコネクタ。
【請求項５】
前記芯部は、前記コネクタが前記ケーブル側コネクタに差し込まれて前記コネクタ又は前記ケーブル側コネクタの一方の先端部が他方の内周面の段部に当接した際に、前記ケーブルの前記中心導体に当接される長さに形成された請求項１から請求項４のいずれかに記載のケーブルテスターのコード用のコネクタ。
【請求項６】
ケーブルの一端に接続して該ケーブルの導通確認を行うケーブルテスターのコード用のコネクタであって、
前記コネクタは、前記ケーブルと嵌合可能であるとともに、前記ケーブルのケーブル側コネクタの中心導体に接続される芯部と、前記芯部を絶縁された状態で囲う外殻部とを有し、前記コネクタ及び前記外殻部は、円筒状に形成され、
前記コネクタの外径は、前記ケーブルの円筒状のケーブル側コネクタの内径と同じか、僅かに小さく、若しくは前記コネクタの内径は、前記ケーブルの円筒状のケーブル側コネクタの内殻部の外径と同じか、僅かに大きく形成され、
前記芯部は、前記コネクタが前記ケーブル側コネクタに差し込まれて前記コネクタ又は前記ケーブル側コネクタの一方の先端部が他方の内周面の段部に当接した際に、前記ケーブルの前記中心導体に当接される長さに形成されたケーブルテスターのコード用のコネクタ。
【請求項７】
請求項１から請求項６のいずれかに記載のケーブルテスターのコード用のコネクタを備えたケーブルテスターのコード。
【請求項８】
ケーブルの一端に接続して該ケーブルの導通確認を行うケーブルテスターのコード用のコネクタを備えたケーブルテスターのコードであって、
前記コネクタは、前記ケーブルと嵌合可能であるとともに、前記ケーブルのケーブル側コネクタの中心導体に接続される芯部と、前記芯部を絶縁された状態で囲う外殻部とを有し、前記コネクタ及び前記外殻部は、円筒状に形成され、
前記コネクタの外径は、前記ケーブルの円筒状のケーブル側コネクタの内径と同じか、僅かに小さく、若しくは、前記コネクタの内径は、前記ケーブルの円筒状のケーブル側コネクタの内殻部の外径と同じか、僅かに大きく形成され、
前記芯部は、前記コネクタが前記ケーブル側コネクタに差し込まれて前記コネクタ又は前記ケーブル側コネクタの一方の先端部が他方の内周面の段部に当接した際に、前記ケーブルの前記中心導体に当接される長さに形成されたケーブルテスターのコード用のコネクタを備えたケーブルテスターのコード。
【考案の詳細な説明】
【技術分野】
【０００１】
本考案は、無線・ビデオ機器・通信機器等に用いられる接続ケーブルの断線等を検知するためのケーブルテスターを接続ケーブル側に接続するためのケーブルテスターのコード用のコネクタに関する。
【背景技術】
【０００２】
無線・ビデオ機器・通信機器等に用いられる接続ケーブルには、ＢＮＣケーブルなどの同軸ケーブルがよく用いられている。同軸ケーブルは、同軸ケーブル芯線（主に銅線）をポリエチレンなどの絶縁／緩衝材で包み、その外側に編んだ導線による網状のシールド層を施し、さらにその外側に塩化ビニールなどによる被覆を施した多重構造のケーブルである。シールド層によって外界からの電磁波の影響を抑えて信号を伝達することができるため、高性能な周波数特性、減衰特性、耐環境特性を有し、主に高周波回路で使用される。このようなケーブルは、ケーブル内部での断線等が発生し、通電ができないおそれがあり、このため定期的にその確認をするための点検作業を行う必要がある。このような通電確認のための技術としては、例えば特許文献１に開示されたものがある。この特許文献１に開示された技術は、測定装置に備えられたクリップをケーブル両側の端子及び大地側に接続し、測定装置のテスターにより導通状態を測定するものである。
【先行技術文献】
【特許文献】
【０００３】
【特許文献１】特開平１０−１７０５７１号公報
【考案の概要】
【考案が解決しようとする課題】
【０００４】
前述した従来の技術においては、図１０及び図１１に示されるように、点検の際に手作業でクリップ５０等を接続ケーブル側のコネクタの芯線やシールドに接続するので、クリップ５０が外れたりテスター棒５２の先端が点検作業の際に非接触となってしまったり、逆にこれらが接触してショート状態となったりして、作業効率が著しく悪化していた。
【０００５】
本考案が解決しようとする目的は、前述の従来技術の問題点を解決するものであり、同軸ケーブルに接続して用いるケーブルテスターのコード用のコネクタにおいて、点検作業時の作業効率を向上させることのできるケーブルテスターのコード用のコネクタを提供することにある。
【課題を解決するための手段】
【０００６】
上記課題を解決するものは以下のものである。
（１）ケーブルの一端に接続して前記ケーブルの導通確認を行うケーブルテスターのコード用のコネクタであって、
前記コネクタは、前記ケーブルと嵌合可能であるとともに、前記ケーブルのケーブル側コネクタの中心導体に接続される芯部と、前記芯部を絶縁された状態で囲う外殻部とを有するケーブルテスターのコード用のコネクタ。
【０００７】
ケーブルテスターのコード用のコネクタをこのような構成とすることにより、ケーブル側に嵌合させるだけで接続作業が済む。よって、従来のようにクリップが外れたり、テスター棒を安定して接触・接続できないなどの不具合は無く、コードの接触・接続作業を、確実かつ円滑に行うことができる。
【０００８】
（２）前記コネクタ及び前記外殻部は、円筒状に形成された（１）に記載のケーブルテスターのコード用のコネクタ。
（３）前記コネクタの外径は、前記ケーブルの円筒状のケーブル側コネクタの内径と同じか、僅かに小さい（１）または（２）に記載のケーブルテスターのコード用のコネクタ。
（４）前記コネクタの内径は、前記ケーブルの円筒状のケーブル側コネクタの内殻部の外径と同じか、僅かに大きい（１）または（２）に記載のケーブルテスターのコード用のコネクタ。
【０００９】
コネクタを円筒状に形成してケーブル側コネクタとの嵌合をより安定的に行うことができる。この場合において、（３）のようにケーブル側コネクタ内にコネクタを挿嵌してもよく、逆に、（４）のようにコネクタ内にケーブル側コネクタの内殻部を挿嵌することとしても良い。
【００１０】
（５）前記芯部は、前記コネクタが前記ケーブル側コネクタに差し込まれて前記コネクタ又は前記ケーブル側コネクタの一方の先端部が他方の内周面の段部に当接した際に、前記ケーブルの前記中心導体に当接される長さに形成された（１）から（４）のいずれかに記載のケーブルテスターのコード用のコネクタ。
【００１１】
このように構成すると、コネクタを奥まで差し込めば芯部と中心導体が接触するので、作業が簡便である。
【００１２】
（６）ケーブルの一端に接続して該ケーブルの導通確認を行うケーブルテスターのコード用のコネクタであって、
前記コネクタは、前記ケーブルと嵌合可能であるとともに、前記ケーブルのケーブル側コネクタの中心導体に接続される芯部と、前記芯部を絶縁された状態で囲う外殻部とを有し、前記コネクタ及び前記外殻部は、円筒状に形成され、
前記コネクタの外径は、前記ケーブルの円筒状のケーブル側コネクタの内径と同じか、僅かに小さく、若しくは前記コネクタの内径は、前記ケーブルの円筒状のケーブル側コネクタの内殻部の外径と同じか、僅かに大きく形成され、
前記芯部は、前記コネクタが前記ケーブル側コネクタに差し込まれて前記コネクタ又は前記ケーブル側コネクタの一方の先端部が他方の内周面の段部に当接した際に、前記ケーブルの前記中心導体に当接される長さに形成されたケーブルテスターのコード用のコネクタ。
【００１３】
（７）（１）から（６）のいずれかに記載のケーブルテスターのコード用のコネクタを備えたケーブルテスターのコード。
（８）ケーブルの一端に接続して該ケーブルの導通確認を行うケーブルテスターのコード用のコネクタを備えたケーブルテスターのコードであって、
前記コネクタは、前記ケーブルと嵌合可能であるとともに、前記ケーブルのケーブル側コネクタの中心導体に接続される芯部と、前記芯部を絶縁された状態で囲う外殻部とを有し、前記コネクタ及び前記外殻部は、円筒状に形成され、
前記コネクタの外径は、前記ケーブルの円筒状のケーブル側コネクタの内径と同じか、僅かに小さく、若しくは、前記コネクタの内径は、前記ケーブルの円筒状のケーブル側コネクタの内殻部の外径と同じか、僅かに大きく形成され、
前記芯部は、前記コネクタが前記ケーブル側コネクタに差し込まれて前記コネクタ又は前記ケーブル側コネクタの一方の先端部が他方の内周面の段部に当接した際に、前記ケーブルの前記中心導体に当接される長さに形成されたケーブルテスターのコード用のコネクタを備えたケーブルテスターのコード。
【図面の簡単な説明】
【００１４】
【図１】図１は、本考案のケーブルテスターのコード全体の斜視図である。
【図２】図２は、図１のコネクタ周辺の拡大図である。
【図３】図３は、図２のコネクタ周辺の先端側の斜視拡大図である。
【図４】図４は、図２のコネクタを取り付けたキャップの背面側の拡大図である。
【図５】図５は、図２のコネクタ周辺の先端側の拡大図である。
【図６】図６は、図２のコネクタ周辺の縦断面図である。
【図７】図７は、図２のコネクタをケーブルに接続する際の状態を示す図である。
【図８】図８は、図２のコネクタをケーブルに接続した際の状態を示す図である。
【図９】図９は、図２のコネクタをケーブルに接続した際の縦断面図である。
【図１０】図１０は、従来のコネクタの点検の際の状態を示す図である。
【図１１】図１１は、従来のコネクタの点検の際の状態を示す図である。
【考案を実施するための形態】
【００１５】
本実施の形態は、管制官が航空機と交信を行うために使用する無線電話受信装置の、主に点検のために用いるケーブルテスターのコード用のコネクタである。本実施の形態は、無線電話受信装置の例について説明をするが、無線電話送信装置の障害時の抵抗値の測定のために用いるケーブルテスターのコード用のコネクタにも用いることができる。本実施の形態の無線電話受信装置には、アンテナにまで伸ばされているケーブルが接続されている。ケーブルやアンテナが断線していないかなどの点検を行う際に、無線電話受信装置側のケーブルを抜いて、ケーブルの末端にテスターを接続して抵抗値を測定することで断線の有無を判断する。
【００１６】
図１に示されるように、本考案のコネクタ１０は、ケーブルテスターのコード１の先端に取り付けられている。コネクタ１０には、２本のコード線２，３が接続されており、コード線２，３のコネクタ１０と反対側の基端には、ケーブルテスターの本体に接続するためのプラグ２ａ、３ａがそれぞれ取り付けられている。
【００１７】
図２〜図５に示されるように、コード２，３の先端は有底四角柱形状のキャップ４に取り付けられている。コード２，３は、キャップ４の先端側の底部４ａの内側面を通して、コネクタ１０に接続されている。コネクタ１０は、この底部４ａの外面に４つのねじ５によりねじ固定されている。
【００１８】
ついでコネクタ１０の詳細について説明する。コネクタ１０は、図２、図３、図５及び図６に示されるように、先端が開口され基端に底部を有する有底円筒形状に形成された円筒部１２と、円筒部１２の基端に連設された台座部１１とを備えている。また、これらの円筒部１２と台座部１１とは小径部１３により連接されている。台座部１１は、前述のように、キャップ４の底部４ａに対してねじ５により固定されている。コネクタ１０をキャップ４に対してねじ５に固定するようにしておくことにより、破損した場合にコネクタ１０の修理を容易とすることができる。また、コネクタ１０又はコネクタ１０以外の部位のコード１のいずれかを取り替えればコード１を再使用できるので、コード１の維持コストを低減することができる。
【００１９】
円筒部１２には、図５及び図６に示されるように、円筒状の外殻部１４と、この外殻部１４の内側に設けられた芯部１６とを備えている。外殻部１４は、外径が１３．５９ｍｍ、内径が８．３９ｍｍとされている。また、外殻部１４の軸心方向は１０．５ｍｍの長さとされている。また、芯部１６は、この外殻部１４と同心状に外殻部１４の底部から突設されている。また、芯部１６は外殻部１４と絶縁されている。芯部１６は、外径が２．６４ｍｍ、内径が１．５ｍｍとされている。また、芯部１６の軸心方向は７．０ｍｍの長さとされている。また、芯部１６その軸心方向に沿って、周方向に等間隔で４つのスリット１７が形成されている。スリット１７が設けられることにより、芯部１６が僅かに拡開することができるので、芯部１６内に、後述するケーブル側の中心導体３６を弾性的に挿嵌することができる。よって、中心導体３６を安定的に芯部１６内に保持することができる。
【００２０】
ついで、コード１を接続する無線電話受信装置のケーブルに取り付けられたコネクタについて説明する。図９に示されるように、ケーブル側コネクタ３０には円筒状の外殻部３４と、この外殻部３４の内側に設けられた円筒状の内殻部３５と、内殻部３５の内側に設けられた円柱状の中心導体３６とが備えられている。外殻部３４は、外径が２０．０５ｍｍ、内径が１５．９５ｍｍとされている。また、外殻部３４の軸心方向は１７．１５ｍｍの長さとされている。また、外殻部３４の内側面の奥の段部３９から外殻部３４の開口部までの長さは９．２５ｍｍとされている。内殻部３５はその外径が７．４０ｍｍとされている。中心導体３６は、この外殻部３４と同心状に外殻部３４の底部から突設されている。中心導体３６は、大径部４０と、大径部４０の先端側の小径部３７から構成されている。小径部３７の長さは５．１３ｍｍとされており、その先端側約３分の１は円錐状に先細に形成された円錐状部３８を備えている。また、大径部４０の直径は３ｍｍとされ、小径部３７の最も太い部位の直径は１．６２ｍｍとされている。
【００２１】
ついで、このように構成されたコネクタ１０及びコード１を用いた導通確認作業について説明する。図７から図９に示されるように、このコード１の先端のコネクタ１０を、ケーブル側のケーブル側コネクタ３０内に挿嵌して、無線電話受信装置とケーブルテスターとを接続する。図９に示されるように、コード１のコネクタ１０の外殻部１４が、ケーブル側のケーブル側コネクタ３０の内殻部３７周りに挿嵌される際には、ケーブル側コネクタ３０の中心導体３６が、コネクタ１０の対応する位置に突設された芯部１６内に挿入される。中心導体３６は、先端が円錐状部３８となっているので、芯部１６内に確実に導くことができる。また一方、芯部１６にはスリット１７が設けられているので、中心導体３６の軸心が芯部１６の軸心に対して一定程度内で偏心していた場合であっても、スリット１７によって芯部１６がたわむことができるので、中心導体３６を芯部１６内に円滑に導くことができる。このようにして、コネクタ１０の外殻部１４とケーブル側コネクタ３０の外殻部３４奥の段部３９、コネクタ１０の芯部１６とケーブル側コネクタ３０の中心導体３６とがそれぞれ接触・接続される。また、コネクタ１０をケーブル側コネクタ３０内に挿嵌している間は、これらの接触・接続状態は安定的に維持される。よって、クリップを嵌めたり、テスター棒を接触させたりして行う従来の点検作業と比較して、ケーブルテスターの点検作業をきわめて確実かつ円滑に行うことができる。また、クリップが外れてショートするなどのおそれも無い。
【００２２】
本考案は、上記の実施の形態の態様に限られることは無く、本考案の主旨の範囲内で適宜変更することは可能である。例えば、コネクタ１０の外殻部１４にその軸心方向に沿ってスリットを設けても良い。このスリットにより、ケーブル側コネクタ３０の内殻部３７の外側に挿嵌する際に、それぞれの径が所定の長さではなく挿嵌がきついような場合であっても、スリットに沿って外殻部１４がたわむことにより、挿嵌を可能又は容易とすることができる。
【産業上の利用可能性】
【００２３】
本考案は無線・ビデオ機器・通信機器等に用いられる接続ケーブルの断線等を検知するためのケーブルテスターを接続ケーブル側に接続するためのケーブルテスターのコード用のコネクタに広く用いることができる。
【符号の説明】
【００２４】
１；コード１、２，３；コード線、２ａ，３ａ；プラグ、４；キャップ、４ａ；底部、５；ねじ、１０；コネクタ、１１；台座部、１２；円筒部、１３；小径部、１４；外殻部、１６；芯部、１７；スリット、３０；ケーブル側コネクタ、３４；外殻部、３５；内殻部、３６；中心導体、３７；小径部、３８；円錐状部、３９；段部、４０；大径部。
【図１】
0003214259.tif 000003
【図２】
0003214259.tif 000004
【図３】
0003214259.tif 000005
【図４】
0003214259.tif 000006
【図５】
0003214259.tif 000007
【図６】
0003214259.tif 000008
【図７】
0003214259.tif 000009
【図８】
0003214259.tif 000010
【図９】
0003214259.tif 000011
【図１０】
0003214259.tif 000012
【図１１】
0003214259.tif 000013